(57)【要約】【課題】コネクタから延出する複数本の電線を結束テープで結束する場合に、コネクタからの電線端末端子の抜けを防止してテープ巻開始位置を高精度に確保することができる、新規な構造の電線結束用治具を提供すること、およびそれを用いたコネクタ付電線の製造方法を提供すること。【解決手段】コネクタ３０から延出する複数本の電線３２を結束テープ３４で結束するために用いられる電線結束用治具１０であって、コネクタ３０が載置されるコネクタ載置部１２と、コネクタ載置部１２から電線３２の延出方向に所定長さで延出すると共に、電線３２が載置され押圧される電線押圧部１４とを含み、電線押圧部１４に電線３２を押圧した状態で、電線押圧部１４の延出端部５４から突出する電線３２に結束テープ３４を結束するようにした。【選択図】図２
2015111511.tif 000002
【特許請求の範囲】
【請求項１】
コネクタから延出する複数本の電線を結束テープで結束するために用いられる電線結束用治具であって、
前記コネクタが載置されるコネクタ載置部と、
前記コネクタ載置部から前記電線の延出方向に所定長さで延出すると共に、前記電線が載置され押圧される電線押圧部とを含み、
前記電線押圧部に前記電線を押圧した状態で、前記電線押圧部の延出端部から突出する前記電線に前記結束テープを結束するようになっている
ことを特徴とする電線結束用治具。
【請求項２】
前記コネクタ載置部が、前記コネクタの前方開口部が当接される縦壁部と、前記コネクタの底面が載置されて前記縦壁部の基端部から水平方向に一体的に延出する横壁部を含んでいる一方、前記コネクタ載置部の前記横壁部の延出端部には、前記水平方向に延出する前記電線押圧部が一体的に連結されており、前記横壁部と前記電線押圧部の境界には、前記コネクタを位置決めする段差部が設けられている請求項１に記載の電線結束用治具。
【請求項３】
前記電線押圧部に重ね合されて前記電線押圧部との対向面間で前記電線を挟持する電線押圧補助部材をさらに備えている請求項１又は２に記載の電線結束用治具。
【請求項４】
前記電線押圧部の側縁部に対して前記電線押圧補助部材がヒンジ連結されている請求項３に記載の電線結束用治具。
【請求項５】
前記コネクタが収容保持されるコネクタ収容孔と該コネクタ収容孔に連通して前記電線が収容される電線収容孔を備えており、前記コネクタ収容孔により前記コネクタ載置部が構成されている一方、前記電線を挟んで対向する前記電線収容孔の一対の対向面により前記電線押圧部と前記電線押圧補助部材が構成されている請求項３に記載の電線結束用治具。
【請求項６】
請求項１〜５の何れか１項に記載の電線結束用治具を準備する工程と、
前記コネクタ載置部に前記コネクタを載置する工程と、
前記電線押圧部に前記コネクタから延出する前記複数本の電線を載置する工程と、
前記コネクタ載置部に前記コネクタを位置決めし、且つ前記電線押圧部に対して前記電線を押圧した状態で、前記電線押圧部の前記延出端部から突出する前記電線に前記結束テープを結束する結束工程と、を有することを特徴とするコネクタ付電線の製造方法。
【発明の詳細な説明】
【技術分野】
【０００１】
本発明は、コネクタから延出する複数本の電線を結束テープで結束するために用いられる電線結束用治具と、それを用いたコネクタ付電線の製造方法に関するものである。
【背景技術】
【０００２】
従来から、自動車に配索される複数本の電線は、結束テープによるテープ巻等により結束されることにより、所定の配索形態に構成されたワイヤハーネスとして搭載されている。このようなワイヤハーネスの製造は、例えば、特開２００４−２９６３３６号公報（特許文献１）の図４等に記載のように、複数種類の結束用治具が立設された布線台を用いて行われている。
【０００３】
ところで、このような布線台を用いてコネクタから延出する複数本の電線を結束テープで結束する場合には、特許文献１の図４に示されているように、先ず、コネクタを布線台の所定位置に立設されたコネクタ支持ピンにコネクタを係止させ、さらにコネクタから延出する複数本の電線を布線台の別の位置に立設された電線支持ピンに支持させる。この状態で、テープ巻が必要な電線の所定の位置に結束テープが巻かれることで、コネクタから延出する複数本の電線が結束されることとなる。
【０００４】
ところが、このような布線台に設けられたコネクタ支持ピンや電線支持ピンを用いてテープ巻作業を行うと、結束テープの結束の際に電線に加わる荷重が電線端末に接続されてコネクタ内部に収容された端子に直接及ぼされることになる。このような引っ張り荷重に抗するように、コネクタ内には端子の抜けを防止するリテーナが設けられている場合もあるが、リテーナ等を備えないコネクタの場合や端子が脆弱な場合には、テープ巻の荷重により電線が引っ張られてコネクタから端子が抜け出すおそれがあった。
【０００５】
このような問題を内在したコネクタに対しては、例えば、治具からコネクタを取り外して、空中でテープ巻を行うことにより電線端末の端子へ過大な荷重が加わらないように対応することも考えられるが、非常に作業性が悪いことに加えて、治具から取り外すことにより、テープ巻の開始位置が作業者によってばらつくことが避けられず、製品精度が確保できないという問題もあった。
【先行技術文献】
【特許文献】
【０００６】
【特許文献１】特開２００４−２９６３３６号公報
【発明の概要】
【発明が解決しようとする課題】
【０００７】
本発明は、上述の事情を背景に為されたものであって、その解決課題は、コネクタから延出する複数本の電線を結束テープで結束する場合に、コネクタからの電線端末端子の抜けを防止してテープ巻開始位置を高精度に確保することができる、新規な構造の電線結束用治具を提供すること、およびそれを用いたコネクタ付電線の製造方法を提供することにある。
【課題を解決するための手段】
【０００８】
電線結束用治具に関する本発明の第１の態様は、コネクタから延出する複数本の電線を結束テープで結束するために用いられる電線結束用治具であって、前記コネクタが載置されるコネクタ載置部と、前記コネクタ載置部から前記電線の延出方向に所定長さで延出すると共に、前記電線が載置され押圧される電線押圧部とを含み、前記電線押圧部に前記電線を押圧した状態で、前記電線押圧部の延出端部から突出する前記電線に前記結束テープを結束するようになっていることを特徴とする。
【０００９】
本発明の電線結束用治具は、コネクタ載置部と電線押圧部を含んだ一部品として形成されており、電線押圧部に電線を押圧した状態で、電線押圧部の延出端部から突出する電線に結束テープを結束するようになっているものである。従って、複数の電線を結束テープで結束する場合に、コネクタから延出する複数本の電線が電線押圧部に押圧されて支持されていることから、結束テープの結束の際に電線に加わる外力を電線端末に接続されてコネクタ内部に収容された端子に及ぶことを回避できる。これにより、電線のテープ巻き作業の際に加えられる外力により電線端末に設けた端子がコネクタから離脱する等の不具合を未然に防止できるのである。
【００１０】
また、電線結束用治具のコネクタ載置部にコネクタを載置することで、治具に対してコネクタを位置決めすることができる。それ故、コネクタ載置部から電線の延出方向に延出する電線押圧部の延出端部をテープ巻開始位置としてテープ巻を開始すれば、テープ巻開始位置の作業者によるバラツキを最小限に留めることができ、製品精度の向上を図ることができる。
【００１１】
加えて、単に電線結束用治具のコネクタ載置部にコネクタを載置するのみにより、電線押圧部の延出端部をテープ巻開始位置として位置決めができることから、従来の如き大型の布線台に対して電線結束用治具を装着して用いる必要もなく、一層簡便且つ高精度にコネクタから延出する電線のテープ巻を行うことができるのである。
【００１２】
特に、本発明の電線結束用治具は、コネクタ載置部と電線押圧部を単一部材の中に含んでいることから、従来の如くコネクタ支持ピンと電線支持ピンが別部品で形成されている場合に比して、寸法公差を削減でき、テープ巻開始位置の製品間バラツキを一層低減することができる。
【００１３】
なお、電線押圧部へ電線を押圧する構成は任意のものが採用され得る。例えば、電線押圧部に対して載置された電線を手指で押圧する態様の他、電線結束用治具に別途設けられた後述する電線押圧補助部材を用いて電線押圧部に対して載置された電線を押圧してもよい。
【００１４】
また、電線押圧部の電線延出方向への延出長さは、要求されるテープ巻開始位置に合わせて任意に設定することが可能である。
【００１５】
電線結束用治具に関する本発明の第２の態様は、第１の態様に記載された電線結束用治具において、前記コネクタ載置部が、前記コネクタの前方開口部が当接される縦壁部と、前記コネクタの底面が載置されて前記縦壁部の基端部から水平方向に一体的に延出する横壁部を含んでいる一方、前記コネクタ載置部の前記横壁部の延出端部には、前記水平方向に延出する前記電線押圧部が一体的に連結されており、前記横壁部と前記電線押圧部の境界には、前記コネクタを位置決めする段差部が設けられているものである。
【００１６】
本態様によれば、縦壁部と横壁部を備えた側面視Ｌ字形状の簡単な構成でコネクタ載置部を形成し、さらに横壁部の延出端部に段差を介して電線押圧部を連接する簡単な構造で電線結束用治具を形成することができる。このような簡単な構造で、コネクタを位置決めすることで、テープ巻開始位置も高精度に確保できるのである。
【００１７】
電線結束用治具に関する本発明の第３の態様は、第１又は第２の態様に記載された電線結束用治具において、前記電線押圧部に重ね合されて前記電線押圧部との対向面間で前記電線を挟持する電線押圧補助部材をさらに備えているものである。
【００１８】
本態様によれば、電線押圧部に対して電線押圧補助部材を用いて電線を押圧することができる。それ故、電線押圧補助部材を用いず、手指により電線を電線押圧部に押圧する場合に比して、電線の押圧保持もれを防止して、一層確実に電線端末の端子へテープ巻き時の荷重が及ぼされることを防ぐことができる。
【００１９】
電線結束用治具に関する本発明の第４の態様は、第３の態様に記載された電線結束用治具において、前記電線押圧部の側縁部に対して前記電線押圧補助部材がヒンジ連結されているものである。
【００２０】
本態様によれば、電線押圧補助部材が電線押圧部の側縁部にヒンジ連結されていることから、コネクタおよび電線の装着の際に、電線押圧補助部材が邪魔にならず、コネクタや電線の電線結束用治具へのスムーズな装着が可能である。また、電線を束形状に整えた状態で電線押圧補助部材をヒンジ回りに回動させて電線押圧部に対向配置させることもでき、一層の作業性の向上を図ることができる。
【００２１】
電線結束用治具に関する本発明の第５の態様は、第３の態様に記載された電線結束用治具において、前記コネクタが収容保持されるコネクタ収容孔と該コネクタ収容孔に連通して前記電線が収容される電線収容孔を備えており、前記コネクタ収容孔により前記コネクタ載置部が構成されている一方、前記電線を挟んで対向する前記電線収容孔の一対の対向面により前記電線押圧部と前記電線押圧補助部材が構成されているものである。
【００２２】
本態様によれば、コネクタ収容孔と電線収容孔にコネクタと電線をそれぞれ収容配置して位置決めできることから、一層の位置決め性の向上を図ることができる。また、電線押圧部と電線押圧補助部材が電線収容孔の一対の対向面により構成されていることから、電線収容孔に電線を収容した後、両者を両側から押し付けることで、安定して電線を押圧することができる。
【００２３】
コネクタ付電線の製造方法に関する本発明の第１の態様は、前記第１乃至第５の何れか１つの態様に記載の電線結束用治具を準備する工程と、前記コネクタ載置部に前記コネクタを載置する工程と、前記電線押圧部に前記コネクタから延出する前記複数本の電線を載置する工程と、前記コネクタ載置部に前記コネクタを位置決めし、且つ前記電線押圧部に対して前記電線を押圧した状態で、前記電線押圧部の前記延出端部から突出する前記電線に前記結束テープを結束する結束工程と、を有することを特徴とする。
【００２４】
本態様によれば、コネクタ内部に収容された電線端末の端子にテープ巻の際の荷重を及ぼすことなくテープ巻を行うことができ、しかも、コネクタ載置部にコネクタを載置して位置決めするだけで、電線押圧部の延出端部をテープ巻の開始位置としてテープ巻を行うことができ、テープ巻位置のばらつきを可及的に低減して、製品精度の向上を有利に図ることができる。
【発明の効果】
【００２５】
本発明によれば、複数の電線コネクタから延出する複数本の電線を結束する場合に、電線が電線押圧部に押圧されて支持されるので、電線に加わる外力をコネクタ内部に収容された端子に及ぶことを回避でき、電線端末に設けた端子がコネクタから離脱する等の不具合を未然に防止できる。また、電線結束用治具のコネクタ載置部にコネクタを載置することで、治具に対してコネクタを位置決めすることができるので、コネクタ載置部から電線の延出方向に延出する電線押圧部の延出端部をテープ巻開始位置とすることで、テープ巻開始位置の作業者によるバラツキを最小限に留めることができる。加えて、従来の如き大型の布線台に対して電線結束用治具を装着して用いる必要もない。さらに、コネクタ載置部と電線押圧部を単一部材の中に含んでいることから、従来の如くコネクタ支持ピンと電線支持ピンが別部品で形成されている場合に比して、寸法公差を削減できる。
【図面の簡単な説明】
【００２６】
【図１】本発明の第一の実施形態としての電線結束用治具を示す斜視図。
【図２】図１に示す電線結束用治具を用いて、コネクタ付電線から延出する電線を結束テープで結束する様子を説明するための斜視図（（ａ）コネクタ付電線を載置した状態、（ｂ）電線を結束テープで結束した状態）。
【図３】本発明の第二の実施形態としての電線結束用治具を示す斜視図。
【図４】図３に示す電線結束用治具を用いて、コネクタ付電線から延出する電線を結束テープで結束する様子を説明するための斜視図（（ａ）コネクタ付電線を載置した状態、（ｂ）電線を結束テープで結束した状態）。
【図５】本発明の第三の実施形態としての電線結束用治具を示す斜視図。
【図６】図５に示す電線結束用治具を用いて、コネクタ付電線から延出する電線を結束テープで結束する様子を説明するための斜視図（（ａ）コネクタ付電線を載置した状態、（ｂ）電線を結束テープで結束した状態）。
【発明を実施するための形態】
【００２７】
以下、本発明の実施形態について、図面を参照しつつ説明する。
【００２８】
先ず、図１及び図２に、本発明の第一の実施形態としての電線結束用治具１０を示す。図１に示されているように、電線結束用治具１０は、後述するコネクタ３０が載置されるコネクタ載置部１２と、後述する電線３２が載置され押圧される電線押圧部１４と、を含んで構成されている。電線結束用治具１０は略ブロック形状とされており、例えばポリプロピレン（ＰＰ）、ポリアミド（ＰＡ）等の合成樹脂により射出成形等によって一体形成されている。なお、以下の説明において、上方とは、図１中の上方、下方とは、図１中の下方、前方とは、図１中の左方、後方とは、図１中の右方を言うものとする。
【００２９】
コネクタ載置部１２は、図１に示されているように、電線結束用治具１０の幅方向全体に亘って延びる縦長平板形状の縦壁部１６と、縦壁部１６の基端部１８から電線結束用治具１０の長手方向の一端側から他端側に向かって水平方向に一体的に延出する平板形状の横壁部２０を含んで構成されている。さらにコネクタ載置部１２の横壁部２０の延出端部２２には、そこからさらに水平方向に延出する、横壁部２０よりも厚肉とされた平板形状の電線押圧部１４が一体的に連結されており、横壁部２０と電線押圧部１４の境界には段差部２６が設けられている。
【００３０】
図２に示されているように、上述の如き構造とされた電線結束用治具１０を用いて、コネクタ付電線２８のコネクタ３０から延出する複数本の電線３２を結束テープ３４で結束するコネクタ付電線２８の製造方法について説明する。はじめに、図２（ａ）に示されているように、電線結束用治具１０を準備し、準備した電線結束用治具１０上にコネクタ付電線２８を載置する。具体的には、コネクタ付電線２８のコネクタ３０をコネクタ載置部１２上に載置すると共に、コネクタ３０から延出する複数本の電線３２を電線押圧部１４上に載置する。コネクタ載置部１２は上面視においてコネクタ３０と略同じ大きさとされていることから、コネクタ３０の前面に設けられ且つ図示しない相手側コネクタのコネクタ端子が挿入されるようになっている前方開口部３６がコネクタ載置部１２を構成する縦壁部１６に当接されている一方、コネクタ３０の底面３８がコネクタ載置部１２を構成する横壁部２０上に載置されている。しかもコネクタ３０の後面４０もコネクタ載置部１２を構成する段差部２６の段差面４２に当接されていることから、コネクタ３０は電線結束用治具１０のコネクタ載置部１２に対して位置決め保持されるようになっている。一方、コネクタ３０の後面４０の後方開口部４４には、電線３２の電線端末４６に圧着された図示しない圧着端子が嵌め込まれるようになっており、後方開口部４４から電線結束用治具１０の長手方向に向かって互いに略平行に延び出した複数の電線３２が電線押圧部１４上に載置されている。
【００３１】
次に、図２（ｂ）に示されているように、電線結束用治具１０を２本の手指４８，５０で摘む。具体的には、例えば左手の人差指４８で電線結束用治具１０の底面５２を持ち且つ左手の親指５０で電線結束用治具１０の電線押圧部１４を持ち、電線押圧部１４に対して束ねた電線３２を押圧した状態とする。そしてこの状態で電線押圧部１４の延出端部５４から突出する電線３２に結束テープ３４を結束することにより、コネクタ付電線２８の製造が完了する。なお、電線押圧部１４は、電線押圧部１４の延出端部５４が電線３２に対して結束テープ３４を巻き付ける開始端となるような所定長さで、コネクタ載置部１２から電線３２の延出方向に延出されて構成されている。
【００３２】
上述の如き本実施形態の電線結束用治具１０によれば、電線押圧部１４に対して電線３２を押圧した状態で、電線押圧部１４の延出端部５４から突出する電線３２に結束テープ３４が巻き付けられている。それ故、結束テープ３４が巻き付けられる際に電線３２に加わる外力が、電線端末４６に圧着されコネクタ３０の後方開口部４４に嵌め込まれた圧着端子に及ぶことを回避できるので、電線端末４６に接続された圧着端子がコネクタ３０の後方開口部４４から抜け落ちる等の不具合の発生を防止できるのである。
【００３３】
また、本実施形態によれば、コネクタ付電線２８のコネクタ３０を電線結束用治具１０のコネクタ載置部１２に載置することにより、電線結束用治具１０に対してコネクタ３０が位置決め保持されている。しかも、コネクタ３０から延出する電線３２が載置される電線結束用治具１０の電線押圧部１４の延出端部５４が、電線３２に対して結束テープ３４を巻き付ける開始端となるような所定長さでコネクタ載置部１２から電線３２の延出方向に延出されて構成されている。それ故、従来の如き大型の布線台を用いなくとも、電線押圧部１４の延出端部５４から結束テープ３４を巻き始めることにより、テープ巻開始位置の作業者によるバラツキを最小限に留めることができ、製品精度の向上を図ることができるのである。
【００３４】
加えて、本実施形態の電線結束用治具１０は略ブロック形状とされる極めて簡単な構造で構成されており、しかもコネクタ載置部１２と電線押圧部１４を一体形成していることから、従来の如くコネクタ支持ピンと電線支持ピンが別部品で形成されている場合に比して、寸法公差を削減でき、テープ巻開始位置の製品間バラツキを一層低減することができるのである。
【００３５】
次に、図３及び図４を用いて、本発明の第二の実施形態としての電線結束用治具５６について詳述するが、上記実施形態と同様な構造とされた部材および部位については、図中に、上記実施形態と同一の符号を付することにより、それらの詳細な説明を省略する。すなわち、かかる電線結束用治具５６は、電線押圧部１４の一方の側縁部５８に対して略薄板形状の一対の連結部６０，６０によってヒンジ連結されている略矩形平板形状の電線押圧補助部材６２をさらに備え、加えて電線押圧補助部材６２の連結部６０が連結されている側縁部と対向する側縁部６４には係合部６６が突設されている点に関して、上記実施形態と異なる実施形態を示すものである。
【００３６】
本実施形態の電線結束用治具５６を用いたコネクタ付電線２８の製造方法について説明する。はじめに、電線結束用治具５６（図３参照）上に前実施形態と同様にコネクタ付電線２８を載置する。そして、図４（ａ）に示されているように、電線押圧部１４に載置された電線３２に対して、連結部６０を折り曲げることにより電線押圧補助部材６２を電線押圧部１４に重ね合わせて、複数本の電線３２を束ねた後、電線押圧補助部材６２と電線押圧部１４の対向面６８，７０間で電線３２を挟持する。なお、電線押圧補助部材６２の係合部６６の突出端部に設けられた係合爪７２を電線押圧部１４の側面７４に設けられた係合穴７６に嵌め込むことにより、この状態が保持されるようになっている。次に、図４（ｂ）に示されているように、電線結束用治具５６を２本の手指４８，５０で摘む。具体的には、例えば左手の人差指４８で電線結束用治具１０の底面５２を持ち且つ左手の親指５０で電線結束用治具１０の電線押圧部１４を持つことにより、電線押圧部１４に載置された電線３２を電線押圧補助部材６２を用いて押圧した状態とする。そしてこの状態で電線押圧部１４の延出端部５４から突出する電線３２に結束テープ３４を結束することにより、コネクタ付電線２８の製造が完了する。
【００３７】
このように、本実施形態では、電線押圧部１４に載置された電線３２を電線押圧補助部材６２を用いて押圧することができることから、前実施形態の如き手指により直接電線３２を電線押圧部１４に押圧する場合に比して複数の電線３２全体を確実にしかも均一の力で押圧することができるので、電線３２の押圧もれや押圧力不足を防止し、一層確実に電線端末４６の圧着端子へテープ巻き時の外力が及ぼされることを防ぐことができる。
【００３８】
また、電線押圧補助部材６２は電線押圧部１４の一方の側縁部５８にヒンジ連結されているので、コネクタ付電線２８を電線結束用治具５６に装着する際に電線押圧補助部材６２が邪魔になることはない。しかも、コネクタ付電線２８の電線結束用治具５６への装着後、電線押圧補助部材６２をヒンジ回りに回動するだけで、電線３２が載置された電線押圧部１４に対向配置させた状態にできることから、一層の作業性の向上を図ることができる。
【００３９】
さらに、図５及び図６を用いて、本発明の第三の実施形態としての電線結束用治具７８について詳述するが、上記実施形態と同様な構造とされた部材および部位については、図中に、上記実施形態と同一の符号を付することにより、それらの詳細な説明を省略する。すなわち、かかる電線結束用治具７８では、コネクタ３０が収容保持されるコネクタ収容孔８０によってコネクタ載置部が構成されている一方、コネクタ収容孔８０に連通して電線３２が収容される電線収容孔８２を備えており、電線３２を挟んで対向する電線収容孔８２の一対の対向面８４，８６により電線押圧部１４と電線押圧補助部材６２が構成されている点に関して、第一の実施形態と異なる実施形態を示すものである。より詳細には、電線結束用治具７８は略ブロック形状とされており、電線結束用治具７８の長手方向の基端部８８には幅方向一方の側面９０に開口するコネクタ収容孔８０が形成されている一方、電線結束用治具７８の長手方向の先端部９２には幅方向一方の側面９０及び後面９４に開口し且つコネクタ収容孔８０に連通されている電線収容孔８２が形成されている。なお、本実施形態では、コネクタ収容孔８０の前方側面９６によりコネクタ載置部の縦壁部が、またコネクタ収容孔８０の底面９８によりコネクタ載置部の横壁部が、さらにコネクタ収容孔８０の後方側面１００によりコネクタ載置部の段差部が構成されている。コネクタ収容孔８０の内部に画成される空間は、コネクタ３０の外形形状と相似でありコネクタ３０よりも僅かに大きな外形寸法を有している。また、電線収容孔８２の一対の対向面８４，８６間の隙間寸法は各電線３２の外径寸法よりも僅かに大きくされている。
【００４０】
本実施形態の電線結束用治具７８を用いたコネクタ付電線２８の製造方法について説明する。はじめに、電線結束用治具７８（図５参照）の幅方向一方の側面９０からコネクタ付電線２８を挿入することにより、図６（ａ）に示されているように、コネクタ３０がコネクタ収容孔８０内に、またコネクタ３０から延出された電線３２が電線収容孔８２内の電線押圧部１４に載置される。次に、図６（ｂ）に示されているように、複数本の電線３２を束ねた状態で電線結束用治具７８を、例えば左手の人差指４８で電線結束用治具１０の底面５２を持ち且つ左手の親指５０で電線結束用治具１０の電線押圧部１４を把持する。人差指４８と親指５０の間で電線結束用治具１０を挟持することにより、一対の対向面８４，８６が相互に接近する方向に撓み変形され、電線押圧部１４に載置された電線３２を電線押圧補助部材６２を用いて押圧した状態とされる。そしてこの状態で電線押圧部１４の延出端部５４から突出する電線３２に結束テープ３４を結束することにより、コネクタ付電線２８の製造が完了する。
【００４１】
このように、本実施形態においても、コネクタ収容孔８０と電線押圧部１４を構成する電線収容孔８２にコネクタ３０と電線３２をそれぞれ収容配置して位置決めできることから、一層の位置決め性の向上を図ることができる。また、電線押圧部１４と電線押圧補助部材６２が電線収容孔８２の一対の対向面８４，８６により構成されていることから、電線収容孔８２に収容された電線３２を上下両側から押圧することにより、安定して電線３２を押圧することができる。
【００４２】
以上、本発明の実施形態について説明してきたが、かかる実施形態における具体的な記載によって、本発明は、何等限定されるものでない。例えば、電線押圧部１４の電線延出方向への延出長さは、要求されるテープ巻開始位置に合わせて任意に設定することが可能である。また、第二の実施形態では、係合部６６と係合穴７６からなるロック機構が設けられていたが、これに限らず任意のロック機構が作用可能である。もしくは、ロック機構はなくてもよい。
【００４３】
さらに、第二及び第三の実施形態では、電線３２の押圧は手指を用いて行っていたが、それに代えてクリップ等により電線３２の押圧を行うようにしてもよい。これにより作業者は両手をテープ巻作業に用いることができるので、テープ巻きをよりスムーズに行うことができる。
【符号の説明】
【００４４】
１０，５６，７８：電線結束用治具（第一の実施形態）、１２：コネクタ載置部、１４：電線押圧部、１６：縦壁部、１８：基端部、２０：横壁部、２２：延出端部、２６：段差部、２８：コネクタ付電線、３０：コネクタ、３２：電線、３４：結束テープ、３６：前方開口部、３８：底面、５４：延出端部、５８：一方の側縁部、６２：電線押圧補助部材、６８，７０，８４，８６：対向面、７０：対向面（電線押圧部）、８０：コネクタ収容孔（コネクタ載置部）、８２：電線収容孔
【図１】
2015111511.tif 000003
【図２】
2015111511.tif 000004
【図３】
2015111511.tif 000005
【図４】
2015111511.tif 000006
【図５】
2015111511.tif 000007
【図６】
2015111511.tif 000008